(57)【特許請求の範囲】
【請求項１】
送話部及び受話部を備えて前記受話部に凹部を形成した送受話器と、
前記送受話器の送話部及び受話部を載置する嵌入凹部を有して、且つ前記受話部の凹部が載置される位置に前記嵌入凹部と連通した凹状の取付孔を備えるとともに、前記取付孔の両側面から非対称に突出して平行に延在する案内レールを一体に形成した本体と、
前記本体の取付孔に面を変えて各々異なる両端から前記案内レールに挿入する非対称の案内溝を備えて、前記取付孔に挿入する先端または後端のいずれか一方に前記送受話器の凹部内に嵌入して係止する係止爪を設けたクランパとを備えたことを特徴とするクランパの取り付け構造。
【請求項２】
請求項１に記載のクランパの取り付け構造において、
前記本体の案内レールには突出する突起部を設け、前記クランパの案内溝内には凹状のロック溝を設け、前記クランパの案内溝を前記案内レールに挿入した際に所定の挿入位置で前記突起部と前記ロック溝とが係合してロックするように設けたことを特徴とするクランパの取り付け構造。
【請求項３】
請求項１に記載のクランパの取り付け構造において、
前記クランパは、前記案内溝内の対向する上下両面に各々前記ロック溝を形成し、前記案内レールに面を変えて挿入した際に前記上下両面いずれか一方のロック溝が前記突起部と係合するように設けたことを特徴とするクランパの取り付け構造。
【請求項４】
請求項１に記載のクランパの取り付け構造において、
前記クランパには、前記案内レールに面を変えて挿入して前記取付孔から表出する外側両面に滑り止め凹溝または凸部のいずれかを形成していることを特徴とするクランパの取り付け構造。
【請求項５】
請求項４に記載のクランパの取り付け構造において、
前記本体は、コードレス電話機、インターホン、コードレス電話機の子機載置部、または充電器などのいずれかであることを特徴とするクランパの取り付け構造。
【発明の詳細な説明】
【０００１】
【発明の属する技術分野】
本発明は、クランパの取り付け構造に係り、より詳細には送受話器を載置する本体に据え置きまたは壁掛けいずれかの状態に応じて選択的に装着するクランパの取り付け構造に関する。
【０００２】
【従来の技術】
従来、例えば、電話機（有線電話機）などの本体には、設置箇所に応じてクランパを選択的に挿入方向を変えて装着することで、壁掛け型では送受話器を本体に係止し、卓上型では受話部を本体から容易に取り外せるようにするクランパの取り付け構造がよく知られている。このような従来技術としては、例えば、実公平７−３７１６号公報、実公昭６３−１２０４４６号公報などに開示されている。図６は、このように電話機に採用した従来のクランパの取り付け構造を示す斜視図である。また、図７は、図６に示したＢ−Ｂ線の断面を示す断面図である。また、図８は、図７に示した高さＥを調節したクランパ４１を本体３１に装着する状態を示す断面図である。
【０００３】
図６に示すように、従来のクランパの取り付け構造は、前述したように電話機（有線電話機）に採用されており、送話部（図示せず）及び受話部５２を備えた送受話器５０と、この送受話器５０の送話部及び受話部５２を載置する嵌入凹部３９を備えて一端側に連通する凹状の取付孔３２を備えた本体３０と、この本体３０の取付孔３２に着脱自在に装着されるクランパ４０とを備えている。
ここで、本体３０には、嵌入凹部３９に連通する凹状の取付孔３２が設けてあり、この取付孔３２内の対向する両側面に沿って平行に延在して内側に一対に突出する案内レール３４を一体に形成している。また、取付孔３２には、凹状の底面に弾性を備える板状のガイド板３８を備え、このガイド板３８の表面に突出する突起部３６を形成している。
【０００４】
また、クランパ４０は、矩形で板状に形成されており、この板状の両側面に取付孔３２の案内レール３４に挿入する案内溝４４を対称に切り欠いて設けてある。また、クランパ４０には、案内溝４４を案内レール３４に挿入する方向の両端側面いずれか一方に送受話器５０の凹部５２ａ内に嵌入して送受話器５０を本体３０に係止する係止爪４２を設けている。また、クランパ４０は、取付孔３２に装着した際にガイド板３８と対向する表面に突起部３６と嵌合するロック溝４６を形成している。
【０００５】
このように電話機に採用した従来のクランパの取り付け構造を使用する場合、まず、壁掛け型で使用する際には図６に示したように係止爪４２を嵌入凹部３９側に突出させた状態でクランパ４０を取付孔３２に挿入する。この際、クランパ４０は、案内溝４４が案内レール３４に沿って誘導され、所定の挿入位置でロック溝４６とガイド板３８の突起部３６とが、図７に示すように嵌合して位置決めされる。これにより図６に示した送受話器５０は、受話部５２を嵌入凹部３９に設置した際、凹部５２ａにクランパ４０の係止爪４２が嵌入して本体３０に係止される。
【０００６】
一方、本体３０を卓上型で使用する場合、送受話器５０が本体３０から容易に取り外しできるように、係止爪４２を本体３０内に収納する。この際、クランパ４０は、ロック溝４６を下側に向けて水平にして、図６に示した矢印方向に１８０°回転（以下、水平方向の回転と称す）させる。このようにクランパ４０は、係止爪４２側を本体３０の取付孔３２の方向に回転して取付孔３２内に挿入することで、図７に示した一点鎖線のように係止爪４２が本体３０内に収納される。これにより送受話器５０は、凹部５２ａにクランパ４０の係止爪４２が嵌入しないため、嵌合凹部３９から容易に受話部５２を取り外すことが可能になる。
【０００７】
しかしながら、このような従来のクランパの取り付け構造では、図７に示した本体３０の厚みＣを幅Ｄだけ薄型化した場合、本体３０内に配置した電子部品（図示せず）の配置スペースを確保するため、嵌入凹部３９の底面を図７に示した一点鎖線のように底上しなければならない。これに伴って、クランパ４０の係止爪４２は、図７に示した一点鎖線のように、所定の高さＥを調節して送受話器５０の凹部５２ａに嵌入するように形成しなければならない。
また、図８に示すように、このように係止爪４２の高さＥを調節したクランパ４１は、係止爪４３側を本体３１の取付孔３３に向けて挿入した場合、高さを調節した係止爪４３の先端が取付孔３３の端部に当接してしまうという不具合があった。
【０００８】
そこで、このような不具合を解決するために、クランパの挿入方向を変えて係止爪の当接を防止した従来のクランパの取り付け構造がある。このような従来技術としては、例えば、実公平３−１７４９８号公報に開示されている。図９は、このように係止爪の当接を防止する従来のクランパの取り付け構造を示す斜視図である。また、図１０は、図９に示したＦ−Ｆ線の断面を示す断面図である。また、図１１は、図９に示したクランパ７０の装着動作を示す動作説明図であり、図１１（ａ）は装着前の状態を、図１１（ｂ）はクランパ７０を回転して本体６０に装着した状態を各々示している。
【０００９】
図９に示すように、係止爪の当接を防止する従来のクランパの取り付け構造は、図７に示したように厚みＣと、送受話器（図示せず）を載置する嵌入凹部とを薄型化した本体６０を設け、この薄型化した本体６０の嵌入凹部６９に連通する凹状の取付孔６２を設けている。また、取付孔６２には、薄型化した嵌入凹部６９に伴って図７に示したように係止爪７２の高さを調節したクランパ７０が着脱自在に装着できるように形成している。
ここで、本体６０は、取付孔６２内の対向する両側面に沿って平行に延在して内側に一対に突出する案内レール６４を一体に形成している。また、取付孔６２の凹状の底面には、ガイド板６８が形成されており、このガイド板６８と嵌入凹部６９との境界部に突出する突起部６６を形成している。
【００１０】
また、クランパ７０は、矩形で板状の両側面に案内レール６４に挿入する案内溝７４を対称に設けてある。また、クランパ７０には、案内溝７４を案内レール６４に挿入する方向の後端または先端のいずれか一方に、送受話器の凹部（図示せず）内に嵌入して送受話器を本体６０に係止する係止爪７２を設けている。この係止爪７２は、前述したように、本体６０の薄型化に伴って高さを調節してあり、図６に示したクランパの係止爪に比べて一端側に移動させた位置に設けている。また、クランパ７０には、案内溝７４が延在する両端の中央部角に対角線状に配置されて取付孔６２の突起部６６と嵌合するロック溝７６が２箇所設けられている。
【００１１】
このように形成された係止爪の当接を防止する従来のクランパの取り付け構造を使用する場合、まず、壁掛け型で使用する際には図９に示したように係止爪７２を嵌入凹部６９側に突出させた状態でクランパ７０を本体６０の取付孔６２に挿入する。この際、クランパ７０は、案内溝７４が案内レール６４に沿って誘導され、所定の挿入位置でガイド板６８側に形成されたロック溝７６と突起部６６とが図１０に示すように嵌合して位置決めされる。そして、送受話器は、受話部を嵌入凹部６９内に設置した際、クランパ７０の係止爪７２により本体６０に係止される。
【００１２】
一方、本体６０を卓上型で使用する場合、送受話器が本体６０から容易に取り外しできるように、係止爪７２を本体６０内に収納する。この際、クランパ７０は、取付孔６２に挿入する方向の両端を上下方向に回転させ、係止爪７２を図１１（ａ）に示した矢印方向に１８０°回転（以下、垂直方向の回転と称す）させる。これによりクランパ７０は、係止爪７２が下側に位置し、本体６０の取付孔６２内に挿入することが可能になり、図１１（ｂ）に示したように係止爪７２を本体６０内に収納することができる。また、ロック溝７６は、クランパ７０を垂直方向に１８０°回転しても、図１１（ｂ）に示したようにクランパ７０の両側に対角線状に形成しているため、常に、ロック溝７６が突起部６６の位置に配置されてクランパ７０を所定の位置でロックすることが可能になる。
このように、従来のクランパの取り付け構造は、クランパ７０の装着方向を、図６に示した水平方向の回転から図１１に示した垂直方向の回転にすることで、本体の薄型化を可能にし、電話機全体を小型化していた。
【００１３】
【発明が解決しようとする課題】
しかしながら、従来のクランパの取り付け構造では、図９に示したように、クランパ７０の案内溝７４は板状の両側面に対称に設けてあり、例えば、このクランパ７０を図６に示したように水平方向に回転させて案内レール６４に挿入すると、案内レール６４に案内溝７４とが嵌入してしまうため、使用者は常に挿入方向を確認して装着しなければならないという不具合があった。
また、従来のクランパの取り付け構造では、図６及び図９に示したように、突起部３６、６６を取付孔３２、６２のガイド板３８、６８に形成しており、クランパ４０、７０を案内レール３４、６４側に指圧する構造に形成されているため、クランパ４０、７０が所定の位置でロックする際、ロック感が使用者に伝わらず、確実に固定されないという不具合があった。
本発明はこのような課題を解決し、使用者による誤挿入を防止して容易に装着して確実に固定することができるクランパの取り付け構造を提供することを目的とする。
【００１４】
【課題を解決するための手段】
本発明は上述の課題を解決するために、送話部及び受話部を備えて受話部に凹部を形成した送受話器と、この送受話器の送話部及び受話部を載置する嵌入凹部を有して且つ受話部の凹部が載置される位置に嵌入凹部と連通した凹状の取付孔を備えるとともに取付孔の両側面から非対称に突出して平行に延在する案内レールを一体に形成した本体と、この本体の取付孔に面を変えて各々異なる両端から案内レールに挿入する非対称の案内溝を備えて取付孔に挿入する先端または後端のいずれか一方に送受話器の凹部内に嵌入して係止する係止爪を設けたクランパとを備える。
【００１５】
ここで、本体の案内レールには突出する突起部を設け、クランパの案内溝内には凹状のロック溝を設け、クランパの案内溝を案内レールに挿入した際に所定の挿入位置で突起部とロック溝とが係合してロックするように設けることが好ましい。また、クランパは、案内溝内の対向する上下両面に各々ロック溝を形成し、案内レールに面を変えて挿入した際に上下両面いずれか一方のロック溝が突起部と係合するように設けることが好ましい。また、クランパには、案内レールに面を変えて挿入する外側両面に滑り止め凹溝または凸部のいずれかを形成することが好ましい。また、本体は、コードレス電話機、インターホン、コードレス電話機の子機載置部、または充電器などのいずれかであることが好ましい。
【００１６】
【発明の実施の形態】
次に、添付図面を参照して本発明によるクランパの取り付け構造の実施の形態を詳細に説明する。図１は、本発明によるクランパの取り付け構造の実施の形態を示す斜視図である。また、図２は、図１に示したクランパ１０の詳細を示す斜視図であり、図２（ａ）は壁掛け型で使用する状態を、図２（ｂ）は卓上型で使用する状態を各々示している。また、図３は、図１に示したＡ−Ａ線の断面を示す断面図である。また、図４は、図３に示したクランパ１０を卓上型にする動作を示す動作説明図であり、図４（ａ）は装着前の状態を、図４（ｂ）はクランパ１０を垂直方向に回転した状態を各々示している。また、図５は、図１に示したクランパ１０を水平方向に回転して誤挿入する状態を示す図であり、図５（ａ）は誤挿入する前の状態を、図５（ｂ）はクランパ１０を水平方向に回転して誤挿入する状態を各々示している。
【００１７】
図１に示すように、本発明によるクランパの取り付け構造の実施の形態は、図９に示した従来技術のように、電話機（有線電話機）に垂直方向に回転して取り付けるクランパの取り付け構造であって、送話部（図示せず）及び受話部２２を備えた送受話器２０と、この送受話器２０の送話部及び受話部２２を載置する嵌入凹部９を備えて一端側に連通する凹状の取付孔６を設けた本体１と、この本体１の取付孔２に着脱自在に装着されるクランパ１０とを備えている。
【００１８】
ここで、本体１には、送受話器２０を設置する嵌入凹部９に連通した凹状の取付孔２を設け、この取付孔２の凹状底面に弾性を備える板状のガイド板８を備えている。また、取付孔２内には、凹状内で対向する両側面に沿って突出した案内レール４を一体に形成している。この案内レール４は、図９に示した従来技術とは異なり、取付孔２内の両側面から内側に向かって各々非対称に突出している。また、案内レール４には、クランパ１０を挿入する一端側の表面に挿入方向と直交する方向に延在して突出する突起部６を形成している。
【００１９】
また、クランパ１０は、矩形で板状に形成されており、この板状の両側面に取付孔２の案内レール４に挿入する非対称の案内溝１４を設けている。このようにクランパ１０は、案内レール４を取付孔２内の両側面に非対称に設け、この案内レール４に挿入する案内溝１４も非対称に設けることで、所定の方向のみに挿入できるように形成している。また、クランパ１０には、案内溝１４内の対向する両面に各々凹状に形成したロック溝６を備えている。このロック溝６は、図２（ａ）及び図２（ｂ）に示すように、案内レール４内を横切るように形成され、クランパ１０を垂直方向に回転した場合でも常に同じ位置に配置されるように案内溝１４内の対向する上下両面に各々設けてある。また、クランパ１０には、図１及び図２に示したように、案内溝１４が延在する両端側面のいずれか一方に、送受話器２０の凹部２２ａ内に嵌入して送受話器２０を本体１に係止する係止爪１２を形成している。また、クランパ１０には、図２に示したように、垂直方向に回転させて取付孔２に挿入する際、本体１の表面に表出する両面に滑り止め用の凹溝１８を形成している。
【００２０】
このように形成された本発明によるクランパの取り付け構造の実施の形態を使用する場合、まず、壁掛け型で使用する際には図１に示したように係止爪１２を嵌入凹部９に突出させた状態でクランパ１０を取付孔２に挿入する。この際、クランパ１０は、案内溝１４が案内レール４に沿って誘導され、所定の挿入位置でロック溝１６と案内レール４の突起部６とが嵌合して図３に示すように位置決めされる。このように案内レール４に突起部６を設けることで、クランパ１０の案内溝１４に突起部６が直接圧力を加えるため、使用者にクランパ１０がロックするロック感を効果的に伝えることができ、クランパ１０を取付孔２に確実に固定することができる。そして、クランパ１０を取付孔２に装着すると、図３に示すように、送受話器２０の受話部２２を嵌入凹部９に設置することで、凹部２２ａ内にクランパ１０の係止爪１２が嵌入して送受話器２０を本体１に係止することが可能になる。
【００２１】
一方、本体１を卓上型で使用する場合、送受話器２０が本体１から容易に取り外しできるように、図３に示した一点鎖線のように係止爪１２を本体１内に収納する。この際、クランパ１０は、図４（ａ）に示すように、係止爪１２を矢印方向（垂直方向）に１８０°回転させる。これによりクランパ１０は、図４（ｂ）に示すように、係止爪１２が取付孔２のガイド板１８側に配置される。この際、クランパ１０は、図４（ａ）に示した垂直方向の回転前と、図４（ｂ）に示した回転後とで非対称の案内溝１４形状が同じ形状になるため、この案内溝１４を案内レール４に挿入でき、取付孔２に装着することができる。そして、クランパ１０は、係止爪１２側を本体１の取付孔２の方向に向けて挿入することで、図３に示した一点鎖線のように係止爪１２を本体１内に収納することができる。これにより送受話器２０は、凹部２２ａにクランパ１０の係止爪１２が嵌入して係止しないため、嵌合凹部９から容易に受話部２２を取り外すことが可能になる。
【００２２】
ここで、クランパ１０を取付孔２に装着する際、例えば、図５（ａ）に示すように、使用者がクランパ１０を垂直方向に回転せず、水平方向に回転して誤挿入した場合、図５（ｂ）に示すように、クランパ１０の案内溝１４と取付孔２の案内レール４とが合わなくなり嵌入することが不可能になる。このように、本発明によるクランパの取り付け構造の実施の形態では、クランパ１０の案内溝１４と、取付孔２の案内レール４とを非対称に設けることで、使用者がクランパ１０を案内レール４に誤挿入することを防止する構造に形成されている。
【００２３】
以上、本発明によるクランパの取り付け構造の実施の形態を詳細に説明したが、本発明は前述した実施の形態に限定されるものではなく、その要旨を逸脱しない範囲で変更可能である。
例えば、電話機（有線電話機）に採用した本発明によるクランパの取り付け構造の実施の形態を説明したが、これに限定されるものではなく、例えば、コードレス電話機の親機、インターホン、コードレス電話機の子機載置部、または子機充電器などの本体にも採用することが可能である。
また、クランパ１０に滑り止め用の凹状の凹溝１８を設けた実施の形態を説明したが、これに限定されるものではなく、例えば、この凹溝１８の形状を凸状に形成してもよい。
【００２４】
【発明の効果】
このように本発明によるクランパの取り付け構造によれば、クランパの案内溝と、取付孔の案内レールとを非対称に形成することで、使用者がクランパを案内レールに誤挿入することを防止し、クランパの装着時に使用者が混乱することを防止できる。
また、本発明によるクランパの取り付け構造によれば、案内レールに突起部を形成するこで、クランパの案内溝内に突起部が直接圧力を加えるため、使用者にクランパがロックするロック感を効果的に伝えることができ、クランパを取付孔に確実にロックすることができる。
【図面の簡単な説明】
【図１】本発明によるクランパの取り付け構造の実施の形態を示す斜視図。
【図２】図１に示したクランパの詳細を示す斜視図。
【図３】図１に示したＡ−Ａ線の断面を示す断面図。
【図４】図３に示したクランパを卓上型にする動作を示す動作説明図。
【図５】図１に示したクランパを水平方向に回転して誤挿入する状態を示す図。
【図６】従来のクランパの取り付け構造を示す斜視図。
【図７】図６に示したＢ−Ｂ線の断面を示す断面図。
【図８】図７に示した高さＥを調節したクランパを本体に装着する状態を示す断面図。
【図９】係止爪の当接を防止する従来のクランパの取り付け構造を示す斜視図。
【図１０】図９に示したＦ−Ｆ線の断面を示す断面図。
【図１１】図９に示したクランパの装着動作を示す動作説明図。
【符号の説明】
１    本体
２    取付孔
４    案内レール
６    突起部
８    ガイド板
９    嵌入凹部
１０    クランパ
１２    係止爪
１４    案内溝
１６    ロック溝
２０    送受話器
２２    受話部
２２ａ  凹部
【図１】
0003645754.tif 000002
【図２】
0003645754.tif 000003
【図３】
0003645754.tif 000004
【図４】
0003645754.tif 000005
【図５】
0003645754.tif 000006
【図６】
0003645754.tif 000007
【図７】
0003645754.tif 000008
【図８】
0003645754.tif 000009
【図９】
0003645754.tif 000010
【図１０】
0003645754.tif 000011
【図１１】
0003645754.tif 000012